【手続補正書】
【提出日】平成17年11月25日(2005.11.25)
【手続補正１】
【補正対象書類名】明細書
【補正対象項目名】発明の名称
【補正方法】変更
【補正の内容】
【発明の名称】画像データ処理装置
【手続補正２】
【補正対象書類名】明細書
【補正対象項目名】特許請求の範囲
【補正方法】変更
【補正の内容】
【特許請求の範囲】
【請求項１】  被写体を撮影して得られた画像データに対して画像処理を行う画像データ処理装置であって、
上記画像データの特徴を算出すべく上記画像データを解析する解析手段と、
上記解析手段により算出された上記画像データの特徴が、上記画像データに付加されている撮影モード情報に整合するかを判別する判別手段と、
上記画像データの特徴が、上記画像データに付加されている撮影モード情報に整合しない場合に、上記画像データに付加されている撮影モード情報を変更する撮影モード変更手段とを有することを特徴とする画像データ処理装置。
【請求項２】  上記撮影モード変更手段により変更された撮影モードに基づいて、上記画像データを印刷するのに適した画像処理を行って印刷画像データを作成する画像データ処理手段と、
上記画像データ処理手段により作成された印刷画像データを出力する印刷画像データ出力手段とを有することを特徴とする請求項１に記載の画像データ処理装置。
【請求項３】  上記画像データの特徴が、上記画像データに付加されている撮影モード情報に整合しない場合に、上記撮影モード情報を変更することを表示する撮影モード変更表示手段を有することを特徴とする請求項１または２に記載の画像データ処理装置。
【請求項４】  上記画像データの特徴が、上記画像データに付加されている撮影モード情報に整合しない場合に、上記画像データに付加されている撮影モード情報を変更するかどうかをユーザに対して選択させる撮影モード変更選択手段を有することを特徴とする請求項１〜３のいずれか１項に記載の画像データ処理装置。
【請求項５】  上記画像データ解析手段により解析された画像データの撮影モード情報及び特徴を示す情報を複数枚分保持する画像データ解析結果保持手段と、
上記画像データ解析結果保持手段により保持された複数枚分の撮影モード情報と、上記複数枚分の画像データの特徴を示す情報とに基づいて、上記画像データに適用すべき撮影モード情報を決定する撮影モード決定手段とを有することを特徴とする請求項１〜４のいずれか１項に記載の画像データ処理装置。
【請求項６】  上記撮影モード確認手段は、上記撮影モード決定手段により決定される撮影モード情報が、上記複数枚分の画像データに付加されている撮影モード情報に整合するか確認し、
上記撮影モード変更手段は、上記確認された結果に基づいて上記画像データを生成する際の撮影モード情報を上記撮影モード決定手段により決定された最適撮影モード情報に変更することを特徴とする請求項５に記載の画像データ処理装置。
【請求項７】  被写体を撮影して得られた画像データに対して画像処理を行う画像データ処理方法であって、
上記画像データの特徴を算出すべく上記画像データを解析する解析工程と、
上記解析工程により算出された上記画像データの特徴が、上記画像データに付加されている撮影モード情報に整合するかを判別する判別工程と、
上記画像データの特徴が、上記画像データに付加されている撮影モード情報に整合しない場合に、上記画像データに付加されている撮影モード情報を変更する撮影モード変更工程を有することを特徴とする画像データ処理方法。
【請求項８】  上記撮影モード変更工程により変更された撮影モードに基づいて、上記画像データを印刷するのに適した画像処理を行って印刷画像データを作成する画像データ処理工程と、
上記画像データ処理工程により作成された印刷画像データを出力する印刷画像データ出力工程とを有することを特徴とする請求項７に記載の画像データ処理方法。
【請求項９】  上記画像データの特徴が、上記画像データに付加されている撮影モード情報に整合しない場合に、上記撮影モード情報を変更することを表示する撮影モード変更表示工程を有することを特徴とする請求項７または８に記載の画像データ処理方法。
【請求項１０】  上記画像データの特徴が、上記画像データに付加されている撮影モード情報に整合しない場合に、上記画像データに付加されている撮影モード情報を変更するかどうかをユーザに対して選択させる撮影モード変更選択工程を有することを特徴とする請求項７〜９のいずれか１項に記載の画像データ処理方法。
【請求項１１】  上記画像データ解析手段により解析された画像データの撮影モード情報及び特徴を示す情報を複数枚分保持する画像データ解析結果保持工程と、
上記画像データ解析結果保持工程により保持された複数枚分の撮影モード情報と、上記複数枚分の画像データの特徴を示す情報とに基づいて、上記画像データに適用すべき撮影モード情報を決定する撮影モード決定工程とを有することを特徴とする請求項７〜１０のいずれか１項に記載の画像データ処理方法。
【請求項１２】  上記撮影モード確認工程は、上記撮影モード決定工程により決定される撮影モード情報が、上記複数枚分の画像データに付加されている撮影モード情報に整合するか確認し、
上記撮影モード変更工程は、上記確認された結果に基づいて上記画像データを生成する際の撮影モード情報を上記撮影モード決定工程により決定された最適撮影モード情報に変更することを特徴とする請求項１１に記載の画像データ処理方法。
【請求項１３】  被写体を撮影して得られた画像データに対して画像処理を行う画像データ処理方法をコンピュータに実行させるコンピュータプログラムであって、
上記画像データの特徴を算出すべく上記画像データを解析する解析手順と、
上記解析手順により算出された上記画像データの特徴が、上記画像データに付加されている撮影モード情報に整合するかを判別する判別手順と、
上記画像データの特徴が、上記画像データに付加されている撮影モード情報に整合しない場合に、上記画像データに付加されている撮影モード情報を変更する撮影モード変更手順を有することを特徴とするコンピュータプログラム。
【請求項１４】  上記請求項１３に記載のコンピュータプログラムを記録したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像データ処理装置に関し、特に、デジタルカメラなどで撮影された画像を印刷する際に、撮影対象に応じた最適な印刷結果が得られるようにするための画像処理を行うために用いて好適なものである。
【手続補正４】
【補正対象書類名】明細書
【補正対象項目名】００１１
【補正方法】変更
【補正の内容】
【００１１】
本発明は、上記問題点をかんがみ、撮影対象に応じたより最適な印刷結果を得るための画像処理を行うことが可能な画像データ処理装置を提供できるようにすることを目的とする。
【手続補正５】
【補正対象書類名】明細書
【補正対象項目名】００１２
【補正方法】変更
【補正の内容】
【００１２】
【課題を解決するための手段】
本発明の画像データ処理装置は、被写体を撮影して得られた画像データに対して画像処理を行う画像データ処理装置であって、上記画像データの特徴を算出すべく上記画像データを解析する解析手段と、上記解析手段により算出された上記画像データの特徴が、上記画像データに付加されている撮影モード情報に整合するかを判別する判別手段と、上記画像データの特徴が、上記画像データに付加されている撮影モード情報に整合しない場合に、上記画像データに付加されている撮影モード情報を変更する撮影モード変更手段とを有することを特徴とする。
本発明の画像データ処理方法は、被写体を撮影して得られた画像データに対して画像処理を行う画像データ処理方法であって、上記画像データの特徴を算出すべく上記画像データを解析する解析工程と、上記解析工程により算出された上記画像データの特徴が、上記画像データに付加されている撮影モード情報に整合するかを判別する判別工程と、上記画像データの特徴が、上記画像データに付加されている撮影モード情報に整合しない場合に、上記画像データに付加されている撮影モード情報を変更する撮影モード変更工程を有することを特徴とする。
本発明のコンピュータプログラムは、被写体を撮影して得られた画像データに対して画像処理を行う画像データ処理方法をコンピュータに実行させるコンピュータプログラムであって、上記画像データの特徴を算出すべく上記画像データを解析する解析手順と、上記解析手順により算出された上記画像データの特徴が、上記画像データに付加されている撮影モード情報に整合するかを判別する判別手順と、上記画像データの特徴が、上記画像データに付加されている撮影モード情報に整合しない場合に、上記画像データに付加されている撮影モード情報を変更する撮影モード変更手順を有することを特徴とする。
本発明のコンピュータ読み取り可能な記録媒体は、上記に記載のコンピュータプログラムを記録したことを特徴とする。
【手続補正６】
【補正対象書類名】明細書
【補正対象項目名】００１４
【補正方法】変更
【補正の内容】
【００１４】
【発明の実施の形態】
以下、図面を参照しながら、本発明の画像データ処理装置の実施の形態を詳細に説明する。
（第１の実施の形態）
図１は、本発明の第１の実施の形態における画像データ処理装置を構成可能なコンピュータシステムの一例を示すブロック図である。
本実施の形態の画像データ処理装置（以下、印刷画像データ処理装置とする）は、ホストコンピュータ１００、デジタルカメラ１０７、プリンタ１０８およびモニタ１０６等により構成されている。ホストコンピュータ１００には、例えば、インクジェット方式のプリンタ１０８が双方向通信可能な状態で接続されている。
【手続補正７】
【補正対象書類名】明細書
【補正対象項目名】００７６
【補正方法】変更
【補正の内容】
【００７６】
【発明の効果】
以上詳述したように、本発明の画像データ処理装置によれば、撮影対象の画像データに対して印刷のための画像処理を行う際に、上記画像データの特徴量から上記画像データを生成した際の撮影モード情報を解析して、上記解析した撮影モード情報と上記画像データに付加されている撮影モード情報との整合性を確認するようにしたので、上記画像データを実際に生成した際の撮影モード情報と、上記画像データに付加されている撮影モード情報との不整合による悪影響を防ぐことが可能となり、撮影対象に応じた最適な印刷結果を得るようにするための画像処理を確実に実行するようにすることができる。